(57)【特許請求の範囲】
【請求項１】
第１電源が入力される第１接続端子部と、
第２電源が入力される第２接続端子部と、
負荷が接続される負荷接続端子部とを備えた切替開閉器であって、
前記第１接続端子部と電気的に接続される第１電源送り部と、
前記第２接続端子部と電気的に接続される第２電源送り部とを有することを特徴とする切替開閉器。
【請求項２】
前記負荷接続端子部は、第１接続端子部または第２接続端子部に対して少なくとも上下、左右に位置を異ならせて配置され、
さらに前記第１電源送り部及び第２電源送り部は、それぞれ第１接続端子部及び第２接続端子部と左右方向に隣接して配置されていることを特徴とする請求項１記載の切替開閉器。
【請求項３】
前記第１電源／第２電源を自動で切り替える制御部を備え、
この制御部は、第１電源送り部と接続される第１電源入力部と、第２電源送り部と接続される第２電源入力部とを有することを特徴とする請求項１または２記載の切替開閉器。
【請求項４】
第１電源が入力される第１接続端子部と、
第２電源が入力される第２接続端子部と、
負荷が接続される負荷接続端子部とを有する機器本体と、
第１電源／第２電源を自動で切り替える制御部とを備えた切替開閉器を内蔵した分電盤であって、
前記機器本体は、
第１電源線が接続される前記第１接続端子部と電気的に接続される第１電源送り部と、
第２電源線が接続される前記第２接続端子部と電気的に接続される第２電源送り部とを有し、
前記制御部は、
第１電源送り部と第１電源送り線により接続される第１電源入力部と、
第２電源送り部と第２電源送り線により接続される第２電源入力部とを有することを特徴とする分電盤。
【発明の詳細な説明】
【技術分野】
【０００１】
本発明は、商用電源／分散電源を自動的に切り替える切替開閉器及びこの切替開閉器を内蔵した分電盤に関するものである。
【背景技術】
【０００２】
分電盤の内部には、負荷が接続される商用電源に停電が生じたような場合に、電源を非常用の分散電源等に自動的に切り替え、また復電時には再び商用電源に自動的に切り替える切替開閉器が設けられている。そしてこの商用電源／分散電源の自動的な切替は、切替開閉器に設けられた制御部によって制御されている。
【０００３】
ここで、制御部を駆動させるためには電源を入力する必要があるが、従来は切替開閉器の機器本体に設けられた電源接続端子に、電源線と制御部への電源送り線とを重ねて配置するものとしていた。このため、接続が不安定になり易く、また切替開閉器は電源線が未配線の状態で出荷されるため、客先で電源線を電源送り線に重ねて配線する際に接続不良が発生し易いという問題が生じていた。
【０００４】
この問題を解決するために、図４のように別途電源入力用の端子台２０を設けることで、電源線２１と制御部２２への電源送り線２３とを客先で重ねて配線する必要がないものとすることが考え得るものの、部品点数が多くなる問題や、端子台２０が分電盤内のスペースを圧迫する問題が新たに生じてしまう。
【先行技術文献】
【特許文献】
【０００５】
【特許文献１】特開２００９−２７２０７７号公報
【発明の概要】
【発明が解決しようとする課題】
【０００６】
本発明の目的は前記した従来の問題点を解決し、電源線と制御部への電源送り線とを重ねることなく接続でき、かつ省スペースで配設可能な切替開閉器及び切替開閉器を備えた分電盤を提供することである。
【課題を解決するための手段】
【０００７】
上記課題を解決するためになされた本発明は、第１電源が入力される第１接続端子部と、第２電源が入力される第２接続端子部と、負荷が接続される負荷接続端子部とを備えた切替開閉器であって、前記第１接続端子部と電気的に接続される第１電源送り部と、前記第２接続端子部と電気的に接続される第２電源送り部とを有することを特徴とするものである。
【０００８】
請求項２記載の発明は、請求項１記載の切替開閉器において、前記負荷接続端子部は、第１接続端子部または第２接続端子部に対して少なくとも上下、左右に位置を異ならせて配置され、さらに前記第１電源送り部及び第２電源送り部は、それぞれ第１接続端子部及び第２接続端子部と左右方向に隣接して配置されていることを特徴とするものである。
【０００９】
請求項３記載の発明は、請求項１または２記載の切替開閉器において、前記第１電源／第２電源を自動で切り替える制御部を備え、この制御部は、第１電源送り部と接続される第１電源入力部と、第２電源送り部と接続される第２電源入力部とを有することを特徴とするものである。
【００１０】
請求項４記載の発明は、第１電源が入力される第１接続端子部と、第２電源が入力される第２接続端子部と、負荷が接続される負荷接続端子部とを有する機器本体と、第１電源／第２電源を自動で切り替える制御部とを備えた切替開閉器を内蔵した分電盤であって、前記機器本体は、第１電源線が接続される前記第１接続端子部と電気的に接続される第１電源送り部と、第２電源線が接続される前記第２接続端子部と電気的に接続される第２電源送り部とを有し、前記制御部は、第１電源送り部と第１電源送り線により接続される第１電源入力部と、第２電源送り部と第２電源送り線により接続される第２電源入力部とを有することを特徴とするものである。
【発明の効果】
【００１１】
本発明に係る切替開閉器は、第１接続端子部と電気的に接続される第１電源送り部と、第２接続端子部と電気的に接続される第２電源送り部とをそれぞれ有するものとした。このように、第１電源送り部と第２電源送り部とを、それぞれの接続端子部と電気的に接続されつつも独立した箇所に設ける構成とすることで、電源線と電源送り線とを重ねることなく接続できる。また、従来のような電源入力用の端子台も不要となるため、省スペースで配設可能となる。
【００１２】
請求項２に係る発明のように、負荷接続端子部を、第１接続端子部または第２接続端子部に対して少なくとも上下、左右に位置を異ならせて配置するものとすれば、負荷接続端子部へ前方からドライバがアクセスし易いものとなる。さらに、負荷接続端子部の配置を前記のように異ならせることで、第１接続端子部または第２接続端子部の左右にデッドスペースが生じることとなるが、第１電源送り部及び第２電源送り部を、それぞれ第１接続端子部及び第２接続端子部と左右方向に隣接して配置することで、このデッドスペースを有効に利用することができるものとなり、切替開閉器の機器本体のサイズが大型化することを防ぐことができる。
【図面の簡単な説明】
【００１３】
【図１】本発明の切替開閉器を備えた分電盤を示す正面図である。
【図２】切替開閉器の斜視図である。
【図３】切替開閉器の正面図である、
【図４】従来の切替開閉器を備えた分電盤を示す正面図である。
【発明を実施するための形態】
【００１４】
以下に本発明の好ましい実施形態を示す。なお、本明細書中の上下、左右、前後は図２に示す方向を指すものとする。
図１のように、分電盤１の内部には、負荷が接続される電源を、第１電源である商用電源と第２電源である分散電源との間で自動的に切り替えるための切替開閉器２が設けられている。またこの切替開閉器２は、機器本体３と制御部４とにより構成されており、機器本体３は第１電源線５により商用電源が入力される第１接続端子部７と、第２電源線６により分散電源が入力される第２接続端子部８と、負荷が接続される負荷接続端子部９とを有している。制御部４は、内部に設けられた図示しないソレノイドにより商用電源／分散電源を自動的に切り替えるものである。また、図１では分電盤１内に切替開閉器２のみを収納しているが、主幹ブレーカや分岐ブレーカ等の電気機器をさらに収納しても差し支えない。なお、図２中に示すように商用電源／分散電源を手動で切り替えるドライブハンドル１６を設けることもできる。
【００１５】
図３のように、機器本体３は、第１接続端子部７と電気的に接続されるとともに、商用電源の復電時に商用電源から制御部４へ電力を供給して商用電源に切替可能とする第１電源送り部１０と、第２接続端子部８と電気的に接続され、商用電源使用時に停電が発生した際、分散電源から制御部４へ電力を供給して分散電源に切替可能とする第２電源送り部１１とを備えるものとした。なお、第１電源送り部１０は、第１電源端子部７の左右方向に隣接して配置されるものとし、同様に第２電源送り部１１は、第２電源端子部８の左右方向に隣接して配置されるものとしている。このように第１電源送り部１０及び第２電源送り部１１の何れからも制御部４へ電力を供給するものとすることで、切替時における制御部４の電源を確保するものとしている。
【００１６】
また制御部４は、前記の第１電源送り部１０と図１中の第１電源送り線１２により接続される第１電源入力部１４、及び第２電源送り部１１と図１中の第２電源送り線１３により接続される第２電源入力部１５を有している。なお、本実施形態では第１電源を商用電源、第２電源を分散電源としたが、各電源はこれに限定されずその他の電源であっても良く、またその組み合わせも同系統の電源同士（例えば第１、第２電源の何れも分散電源）としても差し支えない。
【００１７】
このように、第１電源送り部１０と第２電源送り部１１とを、それぞれの接続端子部７、８と電気的に接続されつつも独立した箇所に設ける構成とすることで、各電源線５、６と制御部４への各電源送り線１２、１３とを重ねることなく接続できるものとなる。また、従来のような電源入力用の端子台も不要となるため、省スペースで切替開閉器２を分電盤１内に配設可能となる。
【００１８】
また本実施形態では、図２及び図３のように、負荷接続端子部９を、第２接続端子部８に対して上下、左右、前後に位置を異ならせて配置している。このように負荷接続端子９の配置を第２接続端子部８に対して少なくとも上下、左右に異ならせることで、負荷接続端子部９へ前方からドライバがアクセスし易いものとなる。さらに、負荷接続端子部９の配置を前記のように異ならせることで、第１接続端子部７及び第２接続端子部８の左右にデッドスペースが生じることとなるが、第１電源送り部１０及び第２電源送り部１１を、それぞれ第１接続端子部７及び第２接続端子部８と左右方向に隣接して配置することで、このデッドスペースを有効に利用することができるものとなり、切替開閉器２の機器本体３のサイズが大型化することを防ぐことができる。なお、本実施形態では、負荷接続端子９は第２接続端子部８の下側に形成されているが、第１接続端子部７の上側に形成されていても良い。その場合においても同様に、負荷接続端子部９を、第１接続端子部７に対して上下、左右、前後に位置を異ならせて配置する。
【００１９】
なお、本実施形態では共通の端子座に各接続端子部７、８と各電源送り部１０、１１とを設けるものとしているが、各接続端子部７、８と各電源送り部１０、１１とが電気的に接続されていれば足りるため、例えば別々の端子座に設けても差し支えないものである。
【符号の説明】
【００２０】
１  分電盤
２  切替開閉器
３  機器本体
４  制御部
５  第１電源線
６  第２電源線
７  第１接続端子部
８  第２接続端子部
９  負荷接続端子部
１０  第１電源送り部
１１  第２電源送り部
１２  第１電源送り線
１３  第２電源送り線
１４  第１電源入力部
１５  第２電源入力部
１６  ドライブハンドル
２０  端子台
２１  電源線
２２  制御部
２３  電源送り線
【図１】
0006584327.tif 000002
【図２】
0006584327.tif 000003
【図３】
0006584327.tif 000004
【図４】
0006584327.tif 000005